(57)【要約】本発明によるバンドの長さ調節が可能なフック固定式ベルトバックルは、表面に複数の固定孔が穿孔された状態で長手方向へ延びたバンドと、前記バンドの一端部に備えられるものであって、前記バンドの幅方向へ延長した状態で延長方向に沿って内部が貫通された挿通孔が形成されたプッシュ部固定パーツ、前記挿通孔に挿入されて弾性を提供するスプリング、及び前記挿通孔の両端部に備えられ、前記スプリングを介して前記挿通孔の内側から外側へ押し出されるプッシュ部を備えたプッシュ部材と、前記バンドの他端部に備えられるものであって、長手方向に沿って貫通して延び、前記プッシュ部が摺動する摺動溝が形成されたバックルと、を含む。【選択図】図１
2021516601.tif 000002
【特許請求の範囲】
【請求項１】
バンドの長さ調節が可能なフック固定式ベルトバックルであって、
表面に複数の固定孔が穿孔された状態で長手方向へ延びたバンドと、
前記バンドの一端部に備えられるものであって、前記バンドの幅方向へ延長した状態で延長方向に沿って内部が貫通された挿通孔が形成されたプッシュ部固定パーツ、前記挿通孔に挿入されて弾性を提供するスプリング、及び前記挿通孔の両端部に備えられ、前記スプリングを介して前記挿通孔の内側から外側へ押し出されるプッシュ部を備えたプッシュ部材と、
前記バンドの他端部に備えられるものであって、長手方向に沿って貫通して延び、前記プッシュ部が摺動する摺動溝が形成されたバックルと、を含み、
前記バックルは、前記固定孔に締結されるフックが備えられたベース部と、前記ベース部の幅方向の両端に各々起立して形成される側壁部と、一対の前記側壁部によって支持され、前記ベース部との間に前記バンドが挿入されるバンド挿入空間を形成するカバー部と、前記側壁部に長手方向に沿って貫通して延びた前記摺動溝と、を備え、
前記側壁部は、前記摺動溝が形成された位置から前記ベース部と前記カバー部との境界部位に向けて長手方向に沿って一定間隔ごとに複数個が突出して延びた突出部を備え、
前記プッシュ部材は、前記突出部間の間隔に対応する幅で突出して延びて前記突出部の間に挟まれる固定突起を備えることを特徴とする、バンドの長さ調節が可能なフック固定式ベルトバックル。
【請求項２】
前記ベルトバックルは、前記バンドの他端部と前記バックルとの間に備えられるバンド延長体を有し、
前記バンド延長体は、
前記バンドの上面と下面に各々接触してファスナーを介して前記バンドに固定される一対の固定部と、
前記一対の固定部の端部を連結し、前記固定部と前記バンドの他端部との間に前記プッシュ部固定パーツが挿入される挿入空間を形成するプッシュ固定部と
を含む請求項１に記載のバンドの長さ調節が可能なフック固定式ベルトバックル。
【請求項３】
前記バックルは、前記側壁部で前記摺動溝を基準にして上部に位置する第１バックル片と、下部に位置する第２バックル片と、に分けて構成されることを特徴とする、請求項１に記載のバンドの長さ調節が可能なフック固定式ベルトバックル。
【請求項４】
前記第１及び第２バックル片の側壁部で相互に接触する面には、前記バンド挿入空間側へ偏って突出した第１突起及び前記バンド挿入空間の反対側へ偏って突出した第２突起のいずれか一つが相互に交差するように備えられることを特徴とする、請求項３に記載のバンドの長さ調節が可能なフック固定式ベルトバックル。
【請求項５】
前記摺動溝の両端部は、ラウンド処理されたことを特徴とする、請求項１に記載のバンドの長さ調節が可能なフック固定式ベルトバックル。
【請求項６】
前記プッシュ部は、
前記挿通孔に挿入され、前記スプリングを介して移動する柱と、
前記柱よりも大きい直径を有し、前記挿通孔の外側へ突出するものであって、外周面の一部が内側へ凹んだ凹溝が形成されたヘッドと、を備え、
前記摺動溝に前記凹溝が嵌められて摺動することを特徴とする請求項１に記載のバンドの長さ調節が可能なフック固定式ベルトバックル。
【請求項７】
前記ベース部及び前記カバー部には、前記側壁部から内側へ一定間隔で離隔した位置に長手方向に沿って突出して延びたプッシュ部ガイドが備えられ、
前記プッシュ部固定パーツには、前記プッシュ部ガイドの間の空間に挟み結合する延長固定パーツがさらに備えられることを特徴とする、請求項６に記載のバンドの長さ調節が可能なフック固定式ベルトバックル。
【請求項８】
前記プッシュ部ガイドから前記バックルへ前記プッシュ部材が入る入口側端部には、
テーパー処理された傾斜端面が備えられ、
前記プッシュ部固定パーツには、前記傾斜端面と接触する部位が内側へ凹んだガイド端面が備えられる
ことを特徴とする請求項７に記載のバンドの長さ調節が可能なフック固定式ベルトバックル。
【請求項９】
前記柱は、
延長方向に沿って第１、第２及び第３領域に分けられ、
前記第１領域の外周面を囲む摩擦リングと、
前記第３領域の外周面を囲む係止リングと、を備える
ことを特徴とする請求項６に記載のバンドの長さ調節が可能なフック固定式ベルトバックル。
【請求項１０】
前記摩擦リングは、
伸縮性材質の第１構造層と、
前記第１構造層の上部に積層され、前記柱の他の部位よりも摩擦係数が大きい材質でコーティング処理された第２構造層を備え、
前記第１構造層が前記第２構造層を加圧することによって前記第２構造層が前記挿通孔の内周面と接触する
ことを特徴とする請求項９に記載のバンドの長さ調節が可能なフック固定式ベルトバックル。
【請求項１１】
前記係止リングは、前記挿通孔の入口に向けて平坦面が形成され、
前記挿通孔の入口から一定間隔で離隔した位置には、前記係止リングの平坦面がかかって固定される係止突起が備えられる
ことを特徴とする請求項９に記載のバンドの長さ調節が可能なフック固定式ベルトバックル。
【発明の詳細な説明】
【技術分野】
【０００１】
本発明は、ベルトのバンドの長さを微細調節及び固定することができるベルトバックルに関し、より詳しくは、数千年間使用して来た固定孔とフックのみを用いて調節される通常のベルトの不便さを解消するためのものであって、着用者の身体変化に応じて自由にベルトのバンド長さを調節可能にすると共に、ベルトのバンドがほどける現象も予防することができるバンドの長さ調節が可能なフック固定式ベルトバックルに関する。
【０００２】
本出願は、２０１８年３月２３日出願の韓国特許出願第１０−２０１８−０００１２７７号に基づく優先権を主張し、該当出願の明細書及び図面に開示された内容は、すべて本出願に組み込まれる。
【背景技術】
【０００３】
通常、従来のベルトは、胃と腸が動く上下方向に対して垂直に圧力を加えるため、消化器官の動きを妨害する要因となる。ベルト着用者は、座るかまたは食事による腹部膨張時、腹部に加えられる圧迫によって、ベルト着用を避けるか、サスペンダーを代わりにすることがある。前記のように腹部に圧迫が加えられる場合、ベルト着用者はこれを解消するために、その都度ベルトを緩めて調節しなければならない。
【０００４】
即ち、従来のベルトは構造的に伸縮できないため、食後（特に過食後）に腹部が膨張するか押されるかによって腹部に圧迫感を受ける場合、ベルト着用者はこれを解消するためにその都度ベルトを緩めなければばらず、これによって着用者の利便性が低下する。
【０００５】
そこで、このような問題を解決することができる多様なベルトバックルが開発されている。
【０００６】
先ず、韓国実用新案登録第２０−０４７０１１７号の「長さ調節の可能なベルト用バックル」は、既存のバックルに使われるフックまたは突出部、即ち、フック型バックルと、鋸歯形状からなり、鋸歯がバンドを加圧して固定するスライド型バックルとを共に結合してフック型バックルとスライド型バックルとの問題点を共に解消して、身体変化に適応するように着用者がベルトの長さを調節できると共に、ベルトがほどけることを根本的に防止して着用者が状況によって長さを調節することができ、かつほどけも防止するようにしたベルト用バックルに関する。
【０００７】
このようなバックルは、着用者の身体変化に応じてベルトの長さ調節が可能であるが、指定された位置のみへバックルの移動が可能であって微細な調整が困難であるため、着用者に合わせてまともに調節することはできないという短所がある。
【０００８】
また、韓国実用新案登録第２０−０２９２９７２号の「可変バックル」は、着用者の腹部圧の変化に応じて長さの調整が可能な可変バックルであって、便利な使用が可能であることを特徴としており、このために、腰バンドとバックルとが備えられ、着用者の腹部圧に応じて伸縮するバックルにおいて、腰バンドの一方側端部が固定される固定クランプ１００と、腰バンドの他方側端部が挿入され、腰回りサイズに合わせて調節される可動クランプ２００とが、前記固定クランプから形成される連結バー１５０によって結合し、前記連結バーには、弾性部材１５１が挿入され、着用者の腹部圧に応じて前記固定クランプ１００が連結バー１５０に沿って移動することを技術的要旨にして、食前／食後の腹部の変化に応じて長さ調整が自動的に行われる利点を有する可変バックルに関する。
【０００９】
しかし、このような構成の場合、ベルトのバンドの延長のためにバックルを二重に構成しなければならないので、バックルの製作費用が高くなり、バックルの厚さが余計に厚くなるという短所がある。
【００１０】
そこで、前記問題点を解決するために、着用者の身体変化に応じて自由にベルトのバンド長さを調節可能にすると共に、ベルトのバンドがほどける現象も予防することができる、バンドの長さ調節が可能なフック固定式ベルトバックルが求められる。
【発明の概要】
【発明が解決しようとする課題】
【００１１】
本発明は、上記問題点に鑑みてなされたものであり、簡単なプッシュ操作によってバックルに挿入されたバンドの長さを調節可能にすることを目的とする。
【００１２】
また、本発明は、バックルに挿入されたバンドを堅固に固定できるようにすることを他の目的とする。
【００１３】
また、本発明は、バンドがバックルに固定された後にも、固定された位置を維持することでほどけることを防止する物理的結合構成を提供することををさらに他の目的とする。
【００１４】
また、本発明は、このような固定状態を解除するとき、バンドをバックルから容易に脱着できる構成を提供することををさらに他の目的とする。
【課題を解決するための手段】
【００１５】
上記の課題を達成するため、本発明によるバンドの長さ調節が可能なフック固定式ベルトバックルは、表面に複数の固定孔が穿孔された状態で長手方向へ延びたバンドと、前記バンドの一端部に備えられるものであって、前記バンドの幅方向へ延長した状態で延長方向に沿って内部が貫通された挿通孔が形成されたプッシュ部固定パーツ、前記挿通孔に挿入されて弾性を提供するスプリング、及び前記挿通孔の両端部に備えられ、前記スプリングを介して前記挿通孔の内側から外側へ押し出されるプッシュ部を備えたプッシュ部材と、前記バンドの他端部に備えられるものであって、長手方向に沿って貫通して延び、前記プッシュ部が摺動する摺動溝が形成されたバックルと、を含むことを特徴とする。
【００１６】
また、前記バックルは、前記固定孔に締結されるフックが備えられたベース部と、前記ベース部の幅方向の両端に各々起立して形成される側壁部と、一対の前記側壁部によって支持され、前記ベース部との間に前記バンドが挿入されるバンド挿入空間を形成するカバー部と、を含み、前記側壁部に長手方向に沿って貫通して延びた前記摺動溝が形成されていることを特徴とする。
【００１７】
さらに、前記ベルトバックルは、前記バンドの他端部と前記バックルとの間に備えられるものであって、前記バンドの上面と下面に各々接触してファスナーを介して前記バンドに固定される一対の固定部と、前記一対の前記固定部の端部を連結し、前記固定部と前記バンドの他端部との間に前記プッシュ部固定パーツが挿入される挿入空間を形成するプッシュ固定部を含むバンド延長体が備えられることを特徴とする。
【００１８】
また、前記バックルは、前記側壁部で前記摺動溝を基準にして上部に位置する第１バックル片と、下部に位置する第２バックル片と、に分けて構成されることを特徴とする。
【発明の効果】
【００１９】
本発明によるバンドの長さ調節が可能なフック固定式ベルトバックルは、
１）簡単なプッシュ操作によってバックルに挿入されたバンドの長さを調節することができる構成を提供し、
２）バックルに挿入されたバンドを固定することができる構成を提供し、
３）バンドがバックルに固定された状態を維持するように固定手段の物理的結合構成を提供し、
４）このような固定状態を解除するときには、前記構成が存在するにも拘わらず、バンドをバックルから容易に脱着できる構成を提供する。
【図面の簡単な説明】
【００２０】
【図１】図１は、本発明のベルトの基本構成を示す斜視図である。
【図２】図２は、本発明のバックル及びプッシュ部材の基本構成を示す斜視図である。
【図３】図３は、本発明のプッシュ部材の一実施形態を示す分解斜視図である。
【図４】図４は、本発明のバックル及びプッシュ部材の一実施形態を示す斜視図である。
【図５】図５は、本発明のプッシュ部材の動作過程を示す斜視図である。
【図６】図６は、本発明のプッシュ部材の他の実施形態を示す分解斜視図である。
【発明を実施するための形態】
【００２１】
以下、添付された図面を参照して本発明の望ましい実施形態を詳しく説明する。本発明による実施形態は多様な形態に変形可能であり、本発明の範囲が後述する実施形態に限定されると解釈されてはならない。本発明の実施形態は当業界で平均的な知識を有する者に本発明をより完全に説明するために提供されるものである。また、本発明の図面及び明細書で特定の用語が使われたが、これは、ただ本発明を説明するための目的で使われただけで、意味を限定するか、特許請求の範囲に記載された本発明の範囲を制限するために使われるものではない。したがって、本技術分野における通常の知識を持つ者であれば、これらに代替できる多様な均等物及び変形例があり得ることを理解せねばならない。したがって、本発明の真正な技術的技術保護範囲は、添付の特許請求の範囲の技術的思想によって決められる。
【００２２】
以下、添付図面を参照して本発明の望ましい実施形態を説明する。添付図面は、縮尺によって示されておらず、各図面の同じ部材番号は、同じ構成要素を意味する。
【００２３】
図１は、本発明のベルトの基本構成を示す斜視図である。
【００２４】
図１を参照して説明すれば、本発明のベルトバックル３００は、長手方向に沿って延びたものであって、延長方向に沿って一定間隔ごとに複数の固定孔が穿孔されたバンド１００と、前記バンド１００の一端部に装着されるものであって、前記固定孔に締結されるフック３３１と、前記フック３３１にかかって残ったバンド１００が通って固定される固定リングとが備えられたバックル３００を基本構成にする。
【００２５】
バンド１００は、ビニル素材や合成樹脂、皮革、布などからなり得、腰に回してズボンを固定できるように十分な長さと幅で延びていることを特徴とする。
【００２６】
さらに、バックル３００は、バンド１００の一端部に備えられる。バンド１００に形成された固定孔は、長手方向に沿って一定間隔を隔ててバンド１００全体にかけて形成され得るが、一方側端部に偏って５〜１０個の固定孔が形成されることが通常であり、このような固定孔が形成された端部の他方側端部にはバックル３００が備えられることが一般的である。
【００２７】
バックル３００には、フック３３１が備えられ、このフック３３１が固定孔のいずれか一つに挿入されて固定され、前記バンド１００を着用者の腰に回した後、適切な長さで固定するのにフック３３１と固定孔が使われる。
【００２８】
また、バックル３００には、フック３３１の他にも固定リング（図示せず）がさらに備えられ得、この固定リングは、バンド１００で固定孔のいずれか一つにフック３３１が挿入された後、残ったバンド１００の部位を入れて固定する、例えば、据え置きの機能を提供する。
【００２９】
図２は、本発明のバックル３００及びプッシュ部材２００の基本構成を示す斜視図である。
【００３０】
図２を参照してバックル３００のより詳細な構成を説明する。
【００３１】
先に、バックル３００は、基本的にベース部３１０と、ベース部３１０の幅方向の両端に各々起立して形成される一対の側壁部３２０、側壁部３２０によって支持され、ベース部３１０との間にバンド１００が挿入されるバンド挿入空間を形成するカバー部を含み、側壁部３２０には、長手方向に沿って貫通して延びた摺動溝３２１がさらに形成され、カバー部の一方側端部にはフック３３１（及び固定リング）が備えられることを特徴とする。
【００３２】
バックル３００は、フック３３１（及び固定リング）を除いて、前後面に開口が形成された六面体のような形態を有し、貫通された面の少なくとも一面にバンド１００が挿入され、反対面にはフック３３１が位置することが最も望ましい構造である。
【００３３】
また、バックル３００は、少なくとも二つのバックル３００片に分けられるように構成され得、ここで、バックル３００は、上部に位置する第１バックル片３０１及び下部に位置する第２バックル片３０２から構成され得る。ここで、側壁部３２０の構成が上下に分離して構成され得、これに加え、二つのバックル片が容易に結合するように各バックル３００片を結合する別のファスナー（図示せず）及びファスナーが結合するファスナー結合溝（図示せず）がさらに備えられ得る。
【００３４】
さらに、バックル３００の両側壁部３２０には、各々長手方向に沿って貫通して延びた摺動溝３２１が形成され得る。この摺動溝３２１には、後述するプッシュ部材２００が各々挟まれて摺動溝３２１に沿って移動可能に結合する。
【００３５】
図３は、本発明のプッシュ部材２００の一実施形態を示す分解斜視図であり、図４は、本発明のバックル３００及びプッシュ部材２００の一実施形態を示す斜視図である。
【００３６】
図３及び図４を参照してプッシュ部材２００について説明する。
【００３７】
プッシュ部材２００は、前述したように、バンド１００がバックル３００に固定されるときに使われるものであって、バンド１００は一端部がバックル３００に固定されなければならない。但し、既存のバックル３００の場合には、バンド１００を固定する部位が鋸歯や雄雌結合方式など、一旦結合した後にはほどけにくく構成されるため、言い換えれば、バンド１００をバックル３００に固定すると、バンド１００の全体的な長さが固定されてしまう結果が発生した。ところが、バンド１００に備えられた固定孔は、一定間隔ごとに穿孔されており、既存の固定孔同士の間隔は通常、２ｃｍないし１インチ程度で比較的広い間隔を有しているため、固定孔の位置を変えることのみで、前述した既存の固定孔同士の間隔よりも小さい範囲で、腹部の膨張程度に応じてバンド１００の長さを変更するには適さない構成である。
【００３８】
したがって、バンド１００の長さを微細に調節するための構成として、プッシュ部材２００には次の構成がさらに含まれるべきである。
【００３９】
先ず、バンド１００の一端部にはバンド延長体２３０の構成をさらに含み得る。バンド延長体２３０はバンド１００の端部に設けられ、二枚の固定部２３１と、この固定部２３１の端部を「コ」字形態で連結するプッシュ固定部２３２と、を備え、「コ」字形態の入口側にバンド１００の端部が挟まれた状態で別の固定手段（またはファスナー）によって固定される。したがって、固定された部位を除いた「コ」字部の内側には、挿入空間がさらに形成される。この挿入空間には、プッシュ部固定パーツ２１０が挿入され得、場合によっては、プッシュ部固定パーツ２１０と別にバー形状の延長部固定パーツ（図示せず）が位置し得る。この延長部固定パーツは、プッシュ部固定パーツ２１０を挿入空間に挿入するために延びた構成であって、延長部固定パーツの両端がさらにプッシュ部固定パーツ２１０の両端と結合するように構成することができる。この際、プッシュ部固定パーツ２１０は、延長部固定パーツと比較したとき、バンド１００の前方に向けて突出するように形成され得、プッシュ部固定パーツ２１０は、延長部固定パーツよりも短い長さで延びていることを特徴とする。
【００４０】
但し、図面から確認できるように、バンド１００とプッシュ部固定パーツ２１０とは共にバックル３００のバンド挿入空間に挿入されるように構成されなければならないため、これを考慮して各部材の幅や長さなどが調節されるべきである。図面には、この中で最も適合していると共に、製造及び使用に容易な形態を示しており、したがって、最大限に図面を基準にして製造するが、必要な変更点があれば、これを交替して活用することが望ましい構成であるといえる。
【００４１】
ここで、プッシュ部固定パーツ２１０は、幅方向に沿って両端部が連通するように挿通孔２５０が備えられ得、この挿通孔２５０の両端の入口に各々挿入されるものとしての二つのプッシュ部２２０が備えられる。
【００４２】
プッシュ部２２０は、図面から分かるように、ねじや釘などと類似な構造を有するものであって、前記挿通孔２５０の入口に挿入される柱２２１と、この柱２２１の端部から柱２２１の直径よりも大きくて、挿通孔２５０の入口の直径よりも大きく延びたヘッド２２２を備え得る。
【００４３】
柱２２１の場合、挿通孔２５０に挿入される部位であり、可能な限り、柱２２１の長さは、挿通孔２５０の長さの半分よりも小さいことが望ましく（前後から一つずつ挿入されるため）、したがって、挿通孔２５０には両入口からプッシュ部２２０の柱２２１が挿入され、二つの柱２２１の間を弾性支持するものとしてのスプリング２４０が挿通孔２５０にさらに内蔵され得る。この際、スプリング２４０は、望ましくは、スプリング２４０が形成する円筒の空間中へ柱２２１が挿入されるようにし、スプリング２４０の端部はヘッド２２２の直径よりも小さいため、ヘッド２２２にかかって固定され得る。したがって、二つのプッシュ部２２０は、いずれもスプリング２４０によって挿通孔２５０の外側へ押し出される力を受けるようになる。
【００４４】
また、ヘッド２２２の構成をさらに見れば、外周面に沿って内側へ凹んだ二つの凹溝２２３と、この凹溝２２３における柱２２１側の面から突出して延びた固定突起２２４と、が備えられ得る。
【００４５】
固定突起２２４は、前述した摺動溝３２１と対応して活用可能であり、このために、図５を参照して摺動溝３２１についてさらに説明する。
【００４６】
図５は、本発明のプッシュ部材２００の動作過程を示す斜視図である。
【００４７】
先ず、摺動溝３２１の構造を見れば、側壁部３２０の長手方向に沿って一字形態で貫通して形成され、側壁部３２０で摺動溝３２１が形成された位置からベース部３１０との境界部位またはカバー部３３０との境界部位まで一定間隔ごとに突出して延びた複数の突出部３２２が備えられる。この突出部３２２の間には、前述した固定突起２２４が挟まれ、これによってプッシュ部２２０の固定突起２２４は、スプリング２４０によってプッシュ部２２０が動くと共に突出部３２２が形成された側壁部３２０に向けて押されるので、結論的にはこの複数個の突出部３２２の間に形成された空間のうちいずれか一つに挟まれる。
【００４８】
したがって、使用者は、バックル３００で摺動溝３２１から突出したプッシュ部材２００のヘッド２２２を押してプッシュ部２２０の固定突起２２４を突出部３２２の間から抜き出してプッシュ部材２００を動かすことができ、したがって、プッシュ部材２００を押すかまたは引っ張ると、バンド１００の長さが変更される。使用者は、このような動作によって長さを調節した後、プッシュ部２２０の固定突起２２４を突出部３２２の間に挟むと、プッシュ部材２００の位置が固定されることで全体的なバンド１００の長さを調節することができる。
【００４９】
また、摺動溝３２１の両端部は、ラウンド処理されるように構成することができ、このようなラウンド処理によって、プッシュ部２２０が摺動溝３２１の最端部に移動しても角が鋭くないので、プッシュ部２２０の破損を防止することができる。
【００５０】
このようなバックル３００の基本構造に加え、バックル３００の駆動及び固定について説明する。
【００５１】
先ず、バックル３００は、前述したように、第１バックル片３０１及び第２バックル片３０２に分けられた構成を有し得る。
【００５２】
ここで、各バックル３００片を連結する構造は、基本的には二つのバックル片を共に横切るファスナー結合溝（図示せず）を形成し、このファスナー結合溝の内周面に沿ってねじ山を形成して溝にファスナー（図示せず）を結合することで二つの片を固定する方式を基本にする。
【００５３】
但し、第１及び第２バックル片の側壁部３２０において相互に接触する面には、バンド挿入空間側へ偏って突出した第１突起３０３と、バンド挿入空間の反対側へ偏って突出した第２突起３０４のいずれか一つが相互に交差するように備えられる。これは、図面から確認できるように、第１バックル片３０１に第１突起３０３が形成されれば、第２バックル片３０２には第２突起３０４が形成され、あるいはその反対の場合として、第１バックル片３０１に第２突起３０４が形成されれば、第２バックル片３０２には第１突起３０３が形成されるように構成され得る。したがって、第１バックル片３０１に形成された第１突起３０３または第２突起３０４と、第２バックル片３０２に形成された第２突起３０４または第１突起３０３とが、交互に結合することで二つのバックル片がより堅固な結合構造を有することができる。
【００５４】
さらに、ベース部３１０及びカバー部３３０には、側壁部３２０から内側へ一定間隔で離隔した位置に長手方向に沿って突出して延びたプッシュ部ガイド３５０がより備えられ得、この際、プッシュ部固定パーツ２１０は、このプッシュ部ガイド３５０の間の空間に挟まれて結合する延長固定パーツ２１１の構成をさらに備え得る。
【００５５】
これは、図面から確認できるように、延長固定パーツ２１１がプッシュ部ガイド３５０に沿って移動されるように構成されており、さらに、プッシュ部ガイド３５０は、前記プッシュ部材２００のヘッド２２２がプッシュ部ガイド３５０にかかってバックル３００の内部へ過度に移動することを防止することができる構造を有する。
【００５６】
また、プッシュ部ガイド３５０からバックル３００へプッシュ部材２００が入る入口側端部には、テーパー処理された傾斜端面３５１が備えられ得る。これによって、プッシュ部固定パーツ２１０には、傾斜端面３５１と接触する部位を内側へ凹んだガイド端面２１２がさらに備えられ得るため、ガイド端面２１２によってプッシュ部固定パーツ２１０がプッシュ部ガイド３５０に接触しながら発生する摩耗などの現象をより起こりにくくする構造を有することができる。
【００５７】
図６は、本考案のプッシュ部材２００の他の実施形態を示す分解斜視図である。
【００５８】
続いて、プッシュ部２２０において柱２２１の構成をより詳しく説明する。
【００５９】
先ず、柱２２１は、延長方向に沿って、第１、第２及び第３領域（この領域は柱２２１が挿入された挿通孔の入口と近い順に命名した。）に区分され、第１領域の外周面を囲む摩擦リング２２５と、第３領域の外周面を囲む係止リング２２６と、が備えられ得、特に第２領域には、後述する第３領域に位置した係止リング２２６を固定するための係止突起２１３が容易に移動できるように（係止突起２１３は、係止リング２２６にかかること以外には可能な限り他の構成に影響を与えないことが望ましいため）内側へ凹んだ柱溝部２２７をさらに備え得る。
【００６０】
ここで、摩擦リング２２５は、伸縮性材質の第１構造層２２８と、第１構造層２２８の上部に積層されるものであって、柱２２１の他の部位よりも摩擦係数の大きい材質でコーティング処理された第２構造層２２９から構成され得る。この際、可能な限り、第１構造層２２８が形成されたとき、全体直径を挿通孔の直径とほとんど同一にすることで、第１構造層２２８の直径と伸縮性によって第２構造層２２９を挿通孔の内周面に接触するように構成する。この際、第２構造層２２９は、摩擦係数が大きくて挿通孔の内周面に接触した状態で柱２２１の位置を固定するのに活用することができる。
【００６１】
さらに、前述した内容においても言及したとように、係止リング２２６は、挿通孔の入口に向けて平坦面が形成されるように構成され得、この際、挿通孔の入口から一定間隔で離隔した位置には、係止リング２２６の平坦面がかかって固定される係止突起２１３が備えられ得る。これは、図面から確認できるように、他の部位である摩擦リング２２５及び第２領域は、係止突起２１３にかかることなく通ることができるが（摩擦リング２２５の場合、伸縮性を有するので容易に通過可能である。）、第３領域に位置した係止リング２２６は、係止突起２１３にかかってこれ以上に挿通孔から柱２２１が離脱することを防止する構成を有するようになる。
【００６２】
前述したように、本発明によるバンドの長さ調節が可能なフック固定式ベルトバックルを前記説明及び図面によって示したが、これは例示にすぎず、本発明の思想が前記説明及び図面によって限定されず、本発明の技術的思想から外れない範囲内で多様な変形及び変更が可能である。
【００６３】
また、本発明が属する技術分野における通常の知識を有する者にとって本発明の技術的思想から外れない範囲内で、多様な置換、変形及び変更が可能であるので、前述した実施形態及び添付図面によって限定されない。
【図１】
2021516601.tif 000003
【図２】
2021516601.tif 000004
【図３】
2021516601.tif 000005
【図４】
2021516601.tif 000006
【図５】
2021516601.tif 000007
【図６】
2021516601.tif 000008
【国際調査報告】
2021516601.tif 000009
2021516601.tif 000010
2021516601.tif 000011
2021516601.tif 000012